(57)【要約】【課題】講義に応じた適切なコンテンツを、表示装置に容易に表示させることができる。【解決手段】コンテンツ配信システムは、建物内の機器によるコンテンツを示すコンテンツを表示する表示装置と、前記建物の区域毎に過去及び現在の前記機器の前記コンテンツ及び前記表示装置の位置情報を管理する情報管理サーバとを有するコンテンツ配信システムであって、前記表示装置は、当該表示装置の位置情報を前記情報管理サーバに通知する位置情報通知手段を有し、前記情報管理サーバは、前記表示装置から通知された前記位置情報を受信する位置情報受信手段と、前記表示装置の位置情報に対応する前記区域の過去及び現在のコンテンツを、前記表示装置に送信するコンテンツ送信手段とを有する。【選択図】図６
2014057286.tif 000002
【特許請求の範囲】
【請求項１】
講義に利用されるコンテンツを表示する表示装置と、該表示装置の位置情報及び前記表示装置に配信するコンテンツを管理する情報管理サーバとを有するコンテンツ配信システムであって、
前記表示装置は、
前記情報管理サーバからの前記コンテンツの取得を要求するコンテンツ取得要求手段を有し、
前記情報管理サーバは、
講義情報と前記コンテンツとを対応付けて記憶するコンテンツ情報記憶手段と、
前記コンテンツの取得の要求を受け付けると、前記表示装置の位置情報に基づき、前記コンテンツ情報記憶手段から前記コンテンツを読み出すコンテンツ読出し手段と、
前記コンテンツの取得を要求した前記表示装置に、読み出された前記コンテンツを配信するコンテンツ配信手段とを有するコンテンツ配信システム。
【請求項２】
前記講義情報は、講義の日時と場所とを示す情報を含み、
前記コンテンツ読出し手段は、前記講義の日時と、前記コンテンツの取得の要求を受け付けた時刻とに基づき、前記コンテンツ情報記憶手段から前記コンテンツを読み出す請求項１記載のコンテンツ配信システム。
【請求項３】
前記コンテンツ配信手段は、前記講義の場所に位置する複数の前記表示装置に、読み出された前記コンテンツを配信する請求項２記載のコンテンツ配信システム。
【請求項４】
前記表示装置は、
前記コンテンツの書誌的事項を示す情報を、前記情報管理サーバから取得する書誌的事項取得手段を有し、
前記コンテンツ取得要求手段は、前記書誌的事項取得手段により取得された前記書誌的事項に基づき、前記コンテンツの取得を要求する請求項１乃至３のいずれか一項に記載のコンテンツ配信システム。
【請求項５】
当該コンテンツ配信システムは、情報管理サーバによって位置情報が管理される無線端末を有し、
前記コンテンツ情報記憶手段は、前記無線端末を識別する識別情報と前記コンテンツとを対応付けて記憶し、
前記コンテンツ配信手段は、前記無線端末の位置情報と、前記コンテンツの取得を要求した前記表示装置の位置情報とが一致する場合に、前記表示装置に前記コンテンツを配信する請求項１乃至４のいずれか一項に記載のコンテンツ配信システム。
【請求項６】
前記情報管理サーバが管理する前記位置情報は、自機が設置された場所の位置情報を所定の範囲内に送信する通信装置の位置情報に基づく請求項１乃至５のいずれか一項に記載のコンテンツ配信システム。
【請求項７】
前記通信装置は、地上補完信号を用いて前記位置情報を送信する請求項６記載のコンテンツ配信システム。
【請求項８】
講義に利用されるコンテンツを表示する表示装置の位置情報と前記表示装置に配信するコンテンツとを管理する情報管理サーバであって、
講義情報と前記コンテンツとを対応付けて記憶するコンテンツ情報記憶手段と、
前記表示装置からの前記コンテンツの取得の要求を受け付けると、前記表示装置の位置情報に基づき、前記コンテンツ情報記憶手段から前記コンテンツを読み出すコンテンツ読出し手段と、
前記コンテンツの取得を要求した前記表示装置に、読み出された前記コンテンツを配信するコンテンツ配信手段とを有する情報管理サーバ。
【請求項９】
前記講義情報は、講義の日時と場所とを示す情報を含み、
前記コンテンツ読出し手段は、前記講義の日時と、前記コンテンツの取得の要求を受け付けた時刻とに基づき、前記コンテンツ情報記憶手段から前記コンテンツを読み出す請求項８記載の情報管理サーバ。
【請求項１０】
前記コンテンツ配信手段は、前記講義の場所に位置する複数の前記表示装置に、読み出された前記コンテンツを配信する請求項９記載の情報管理サーバ。
【発明の詳細な説明】
【技術分野】
【０００１】
本発明は、コンテンツ配信システム及び情報管理サーバに関する。
【背景技術】
【０００２】
近年、ビジネスや教育の現場を問わず、講義や会議等において、資料を紙媒体で配布せず、プロジェクタにより資料（電子データ）を投影したり、ネットワークを利用しクライアント端末に資料を配信したりするといった形態が一般的となっている。
【０００３】
一方、特許文献１には、無線端末が照明装置から発信される固有情報を受信し、この受信した固有情報をサーバに送信することで、無線端末の位置を特定するシステムが開示されている。
【発明の概要】
【発明が解決しようとする課題】
【０００４】
しかしながら、このような電子データを利用した講義等において、講義の都度、使用するＰＣに電子データを保存し、ＰＣとプロジェクタとを接続するといった事前準備に時間を要し、手間がかかってしまう。また、使用するＰＣを複数の講師等が共有して使っていたり、講義に用いる電子データにリモートアクセスしたりする場合も多く、電子データの所在が不明になるといった煩雑さがあるという課題がある。
【０００５】
なお、特許文献１では、端末の位置を特定する方法は開示されている。
【０００６】
本発明は、上記課題に鑑みてなされたものであり、講義に応じた適切なコンテンツを、表示装置に容易に表示させることを目的とする。
【課題を解決するための手段】
【０００７】
上記課題を解決するため、コンテンツ配信システムは、講義に利用されるコンテンツを表示する表示装置と、該表示装置の位置情報及び前記表示装置に配信するコンテンツを管理する情報管理サーバとを有し、前記表示装置は、前記情報管理サーバから前記コンテンツの取得を要求するコンテンツ取得要求手段を有し、前記情報管理サーバは、講義情報と前記コンテンツとを対応付けて記憶するコンテンツ情報記憶手段と、前記コンテンツの取得の要求を受け付けると、前記表示装置の位置情報に基づき、前記コンテンツ情報記憶手段から前記コンテンツを読み出すコンテンツ読出し手段と、前記コンテンツの取得を要求した前記表示装置に、読み出された前記コンテンツを配信するコンテンツ配信手段とを有する。
【発明の効果】
【０００８】
本発明の実施形態によれば、講義に応じた適切なコンテンツを、表示装置に容易に表示させることができる。
【図面の簡単な説明】
【０００９】
【図１】本発明の実施形態におけるコンテンツ配信システムの構成の一例を示す図である。
【図２】本発明の実施形態における表示装置のハードウェア構成の一例を示す図である。
【図３】本発明の実施形態における通信装置のハードウェア構成の一例を示す図である。
【図４】本発明の実施形態におけるゲートウェイ装置のハードウェア構成図の一例を示す図である。
【図５】本発明の実施形態における情報管理サーバのハードウェア構成の一例を示す図である。
【図６】本発明の実施形態におけるコンテンツ配信システムの機能構成の一例を示す図である。
【図７】本発明の実施形態における信号フォーマットの一例を示す図である。
【図８】本発明の実施形態における通信装置の位置情報格納手段に記憶される情報の一例を示す図である。
【図９】本発明の実施形態における情報管理サーバの位置情報記憶手段に記憶される情報の一例を示す図である。
【図１０】本発明の実施形態における情報管理サーバの区域情報記憶手段に記憶される情報の一例を示す図である。
【図１１】本発明の実施形態における情報管理サーバのコンテンツ情報記憶手段に記憶される情報の一例を示す図である。
【図１２】本発明の実施形態における情報管理サーバのコンテンツ読出し処理の手順の一例を示すフローチャート図である。
【図１３】本発明の実施形態におけるコンテンツ配信システムの動作の一例を示すシーケンス図である。
【図１４】本発明の実施形態において表示装置に表示されるコンテンツを取得するための入力画面の一例を示す図である。
【図１５】本発明の実施形態の第一の変形例におけるコンテンツ配信システムの機能構成の一例を示す図である。
【図１６】本発明の実施形態の第一の変形例におけるコンテンツ配信システムの動作手順の一例を示すシーケンス図である。
【図１７】本発明の実施形態の第一の変形例において、表示装置に表示される書誌的事項表示画面の一例を示す図である。
【図１８】本発明の実施形態の第二の変形例における情報管理サーバのコンテンツ読出し処理の手順の一例を示すフローチャート図である。
【図１９】本発明の実施形態における情報管理サーバのコンテンツ情報記憶手段に記憶される情報の一例を示す図である。
【図２０】本発明の実施形態の第三の変形例における情報管理サーバのコンテンツ読出し処理の手順の一例を示すフローチャート図である。
【発明を実施するための形態】
【００１０】
〔第一の実施形態〕
以下、本発明の実施形態について、図面を用いて説明する。
【００１１】
[システム構成]
図１は、本発明の実施形態におけるコンテンツ配信システム１の構成例を示す図である。図１に示されるように、コンテンツ配信システム１は、表示装置１０ａ、・・１０ｎ（それぞれを区別しない場合は「表示装置１０」という。）と、通信装置２０ａ、２０ｂ、・・・２０ｎ（それぞれを区別しない場合は「通信装置２０」という。）と、ゲートウェイ装置３０ａ、・・・３０ｎ（それぞれを区別しない場合は「ゲートウェイ装置３０」という。）と、情報管理サーバ４０とを有する。表示装置１０と通信装置２０とゲートウェイ装置３０とは、ＩＥＥＥ８０２．１５．４及びＺｉｇＢｅｅ（登録商標）によるＰＡＮ（Personal  Area  Network）等の無線ネットワーク９７を介して、通信可能に接続されている。ここで図１の例では、表示装置１０ａ、表示装置１０ｎには、それぞれ無線通信機１１ａ、１１ｎ（それぞれを区別しない場合は「無線通信機１１」という。）が外部に取り付けられていたり、内蔵されていたりする。表示装置１０は、無線通信機１１を用いて、無線ネットワーク９７を介し通信する。ゲートウェイ装置３０と情報管理サーバ４０とは、ＬＡＮ（Local  Area  Network）又はインターネット等のネットワーク９８を介して、通信可能に接続されている。表示装置１０と情報管理サーバ４０とは、アクセスポイント９０を介して、ＩＥＥＥ８０２．１１の通信規格に準拠する無線ＬＡＮ等のネットワーク９９により通信可能に接続されている。なお、無線ネットワーク９７、ネットワーク９８及びネットワーク９９の通信方式は上記に限定されず、ＬＡＮは有線又は無線の別を問うものではなく、各装置間の通信が可能であれば、例えば移動通信網や近距離無線通信規格のＩＥＥＥ８０２．１５．１（Bluetooth（登録商標））等であってもよい。また、図１の例では、表示装置１０がプロジェクタである場合に、画像データを表示させるスクリーン６０が設置されている。また、本発明の実施形態において図１に示されるように、点Ａ、Ｂ、Ｃ、Ｄに囲まれた範囲や点Ｅ、Ｆ、Ｇ、Ｈに囲まれた範囲を「区域」という。「区域」は本発明の実施形態において講義が行われる場所であって、例えば、ある建物内の教室や会議室等の部屋である。
【００１２】
本発明の実施形態におけるコンテンツ配信システム１とは、コンテンツ、講義情報及び機器の位置情報を管理する情報管理サーバ４０が、表示装置１０からのコンテンツを自機に表示させるための要求を受け付けると、表示装置１０の位置情報や講義に関する情報等に基づき読み出した（選択した）コンテンツを、要求元の表示装置１０に配信するシステムである。ここで、講義に関する情報（以下、「講義情報」という。）は、講義の日時、場所（区域）、内容及び講師等を示す情報である。また、コンテンツは、講義で用いる電子データの資料や教材等である。コンテンツ配信システム１によって、例えば、プロジェクタ又はＰＣ（Personal  Computer）等（表示装置１０の例）により電子的な資料を用いた講義を行う場合、プロジェクタ等に備わるハードウェアのボタンのワンプッシュ等の操作により、資料を情報管理サーバ４０から取得し、プロジェクタは資料を投影（表示）することができる。なお、コンテンツ配信システム１は、電子的な資料を用いたプレゼンテーションであれば、その呼称を問わず、例えば他に、電子的な説明資料を用いた会議や講演、電子的な参考書や教科書を資料とした勉強会、電子的な掲示板を資料とした意見交換会等に適用できる。よって、上述した講義情報という名称に限らず、例えば研修に関する情報を示す研修情報や会議に関する情報を示す会議情報という名称を用いてもよい。
【００１３】
表示装置１０は、例えば画像や映像をスクリーン６０等に投影する表示機能を有するプロジェクタ又は液晶や有機ＥＬ等のディスプレイ（自機又は他の機器を問わない）に画像等を表示させる機能を有するＰＣである。また、表示装置１０は、ネットワーク９９を介してデータを受信する通信機能を備える。また、表示装置１０は、具備する無線通信機１１を用いて、例えば通信装置２０から送信される、地上補完信号ＩＭＥＳ（Indoor  Messaging  System）規格に準ずる測位信号を受信して、位置情報を取得する。そして表示装置１０は、具備する無線通信機１１を用いて、無線ネットワーク９７を介して、受信した位置情報を、例えばＩＥＥＥ８０２．１５．４及びＺｉｇＢｅｅ（登録商標）のような近距離無線通信により情報管理サーバ４０に送信する。なお、表示装置１０が具備する無線通信機１１は、能動的に電波を送信する、例えばアクティブタグの特徴を有してもよい。
【００１４】
通信装置２０は、例えば部屋の天井等に固定され、固定された位置に係る位置情報を連続的又は断続的に送信する。通信装置２０は、それぞれ独立した筐体を有し、予め設置された電源から給電されて動作するか、あるいはＬＥＤ蛍光管のような照明器具に組み込まれ、この照明器具から給電されて動作する。通信装置２０は、自機が保持する位置情報を、無線信号により所定の範囲に送信する。所定の範囲は、用いられる無線信号の信号強度及び送信アンテナの指向性等によって定められる。通信装置２０は、位置の管理対象となる領域をカバーするように配置され、それぞれの領域が重複しないように構成される。あるいは、重複する場合であっても、位置情報を受信する側において、受信電波の強度に基づいて、何れか一つの通信装置２０が決定できるよう構成される。図１の例では、通信装置２０の下方に示される円錐型の点線が、所定の範囲を表している。位置情報を送信する通信方式として、例えば地上補完信号ＩＭＥＳを用いることができる。また、通信装置２０は表示装置１０又はゲートウェイ装置３０に対して位置情報以外のデータを送受信することもできる。
【００１５】
なお、表示装置１０が通信装置２０からの位置情報を受信した場合の動作は次のようになる。表示装置１０が位置情報を受信すると、受信した位置情報と共に、例えばデバイスＩＤやＭＡＣアドレスのような機器を一意に識別する識別情報を含む情報を通信装置２０へ送信する。本発明の実施形態では、表示装置１０の識別情報として、ＩＥＥＥ８０２．１５．４の短縮アドレスまたはＩＥＥＥ拡張（ＭＡＣ）アドレスを用いることができる。表示装置１０から通信装置２０へ送信された識別情報と位置情報とは、次に、隣接する通信装置２０を経由して、ゲートウェイ装置３０に送信される。なお、表示装置１０における位置情報の送受信の動作は、表示装置１０において予め定めた周期（例えば1分間周期）や表示装置１０が加速度センサを備えている場合は、加速度の変化が検出されたタイミングで行われる。
【００１６】
ゲートウェイ装置３０は、無線ネットワーク９７とネットワーク９８とを相互に接続し、一方のネットワークから送信されたデータを他方のネットワークにブリッジする。ゲートウェイ装置３０は、例えば建物のフロア毎、または壁等で仕切られた部屋毎に設置される。無線ネットワーク９７がＩＥＥＥ８０２．１５．４及びＺｉｇＢｅｅ（登録商標）によるＰＡＮ（Personal  Area  Network）であり、ネットワーク９８がＩＥＥＥ８０２．３規格に準拠するＬＡＮである場合は、それらの間の通信方式の変換を行う。また、表示装置１０の識別情報がＩＥＥＥ８０２．１５．４の短縮アドレスで表されている場合には、ＰＡＮ構成時の情報に基づきＩＥＥＥ拡張アドレスに変換し、情報管理サーバ４０に送信する。
【００１７】
情報管理サーバ４０は、表示装置１０の位置情報を管理する位置情報管理機能、コンテンツ等を表示装置１０に配信する情報通信機能等を有する。また、情報管理サーバ４０は、位置情報を管理する位置情報管理データベース、講義情報とコンテンツとが対応付けて記憶されるコンテンツ情報管理データベース及び区域（例えば、教室や会議室等の領域又はその名称）と通信装置２０の位置情報とが対応付けられた区域情報データベース等を有する。情報管理サーバ４０は、これらのデータベースの情報に基づき、講義の日時や場所等に対応したコンテンツを表示装置１０に配信する。
【００１８】
なお、無線ネットワーク９７が、上述したような表示装置１０と通信装置２０とゲートウェイ装置３０とを接続する、例えばＩＥＥＥ８０２．１５．４及びＺｉｇＢｅｅ（登録商標）規格によって構成されるＰＡＮである場合は、表示装置１０はＺｉｇＢｅｅ（登録商標）規格で定められるエンドデバイス機能を有し、通信装置２０はルータ機能を有し、ゲートウェイ装置３０はコーディネータ機能を有する。そして、表示装置１０と通信装置２０とは、起動時にゲートウェイ装置３０の管理下に入り、ＰＡＮを構成し、ゲートウェイ装置３０への最小経路が決定される。
【００１９】
上述したように、コンテンツ配信システム１において、表示装置１０は、最寄りの通信装置２０と通信できるだけの電力を用いて、データを情報管理サーバ４０に送信することができる。また、通信装置２０を設置するための新たなインフラの敷設が不要であり、導入コストを低減することができる。
【００２０】
なお、通信装置２０の位置情報は、ＩＥＥＥ８０２．１１規格に準拠した無線ＬＡＮを介して提供されてもよい。これにより、例えばＩＭＥＳを用いた位置情報等を送信するための送信手段が不要となる。
【００２１】
また、表示装置１０は、位置情報を送信した通信装置２０よりさらに近傍にゲートウェイ装置３０が存在する場合には、位置情報等のデータをゲートウェイ装置３０に送信してもよい。これにより、最短経路で識別情報と位置情報とを情報管理サーバ４０に送信できる。
【００２２】
また、情報管理サーバ４０に、ゲートウェイ装置３０の機能を統合してもよい。これにより、ゲートウェイ装置３０の設置が不要となる。
【００２３】
また、上述の位置情報に加えて、例えば部屋の中の区画を表す情報のような、より細かな位置を特定する情報を含んでもよい。これにより、より細かな位置管理が可能となる。
【００２４】
また、無線ネットワーク９７は、例えばＢｌｕｅｔｏｏｔｈ（登録商標）  ＬＥ、ＡＮＴ、Ｚ−Ｗａｖｅ等の近距離無線通信を用いて構成されてもよい。これにより、多様な表示装置１０の位置情報を管理することが可能となる。
【００２５】
また、ネットワーク９８は、例えばインターネットのような、複数の種類のネットワークを含んでもよい。これにより、無線ネットワーク９７と情報管理サーバ４０との間の物理的な距離に関係なく、表示装置装置１０の位置情報を管理することが可能となる。
【００２６】
［システム動作概要］
本発明の実施形態において、表示装置１０のユーザによる表示装置１０での入力操作後、情報管理サーバ４０から表示装置１０にコンテンツが配信されるまでのコンテンツ配信システム１の動作概要は次の通りである。
【００２７】
（１）初期状態において、情報管理サーバ４０は、講義情報（講義の日時、講義の場所（区域）、講義名、講師名、講義で用いられる資料の情報等）とコンテンツとが対応付けられたコンテンツ情報管理データベース及び区域名と通信装置２０の位置情報とが対応付けられた区域情報データベースとを保持している。
【００２８】
（２）表示装置１０は、通信装置２０から定期的（例えば１分周期）に送信された位置情報を受信すると、受信した位置情報を、情報管理サーバ４０に無線ネットワーク９７を介して送信する。情報管理サーバ４０は、受信した表示装置１０の位置情報を位置情報管理データベースに記憶する。
【００２９】
なお、（２）の処理は、独立して動作し、継続して繰り返し実行される。
【００３０】
（３）表示装置１０のユーザ（例えば、講師等）が、表示装置１０に講義で用いるコンテンツを表示させたい場合、例えば表示装置１０に具備されたハードウェアのボタンの押下等の入力操作を行う。表示装置１０における入力操作によって、表示装置１０は、情報管理サーバ４０に、コンテンツを取得するためのコンテンツ取得要求を、ネットワーク９９を介して送信する。
【００３１】
（４）情報管理サーバ４０は、コンテンツ取得要求を受信すると、表示装置１０の位置情報及びコンテンツ取得要求を受信した時刻に基づき、コンテンツ情報管理データベースからコンテンツを読み出す。
【００３２】
（５）情報管理サーバ４０は読み出したコンテンツを、コンテンツ取得要求を送信した表示装置１０にネットワーク９９を介して配信する。
【００３３】
（６）表示装置１０は、受信したコンテンツを自機の画面に表示するか、又はスクリーン６０に投影する。
【００３４】
以上（１）〜（６）の動作により、コンテンツ配信システム１は、ユーザ（講師等）の表示装置１０における簡易な操作によって、容易に表示装置１０にコンテンツを表示させることができる。
【００３５】
[ハードウェア構成]
図２、図３、図４、図５はそれぞれ、表示装置１０、通信装置２０、ゲートウェイ装置３０、情報管理サーバ４０のハードウェア構成の一例を示した図である。
【００３６】
＜表示装置＞
図２は、本発明の実施形態における表示装置１０のハードウェア構成の一例を示す図である。表示装置１０は、ＣＰＵ１２１、ＲＡＭ１２２、ＲＯＭ１２３、ＨＤＤ１２４、第一通信部１２５、測位信号受信部１２６、第二通信部１２７、表示部１２８、入力部１２９及びバス１３０等を有する。
【００３７】
ＣＰＵ１２１は、表示装置１０の動作制御を行うプログラムを実行する。ＲＡＭ１２２は、ＣＰＵ１２１のワークエリア等を構成する。ＲＯＭ１２３は、ＣＰＵ１２１が実行するプログラムや、プログラムの実行に必要なデータを記憶する。ＨＤＤ１２４は、例えば、半導体メモリ、磁気テープ、光学ディスク等の記憶装置であって、表示装置１０において表示するコンテンツが記憶される。第一通信部１２５は、外部の装置と通信するための装置であり、例えば、ＺｉｇＢｅｅ（登録商標）のような、近距離無線通信方式に従って通信を行う装置である。測位信号受信部１２６は、通信装置２０が送信する測位信号を受信するための装置であり、例えば、ＩＭＥＳ規格により定義されたフレームフォーマットの測位信号を受信する。第二通信部１２７は、外部の装置と通信するための装置であり、例えば、無線ＬＡＮや携帯電話通信網を通じて通信を行う装置である。表示部１２８は、情報管理サーバ４０から配信されたコンテンツを表示する装置であって、例えば液晶や有機ＥＬのディスプレイである。なお、表示装置１０がプロジェクタである場合は、表示部１２８は光源から射出される光により読み出される投影画像を表示する。入力部１２９は、ユーザの入力を受け付ける装置であって、例えば、ハードウェアのボタン、キーボード、マウス、タッチパネル等である。バス１３０は、上記装置を電気的に接続する。
【００３８】
上記構成により、本発明の実施形態における表示装置１０は、通信装置２０から送信された測位信号から位置情報を取得し、この位置情報を、第一通信部１２５を用いて情報管理サーバ４０に送信することができる。そして、表示装置１０は、第二通信部１２７を用いて、情報管理サーバ４０から送信されるコンテンツを受信することができる。
【００３９】
なお、位置情報の送受信を行う第一通信部１２５及び測位信号受信部１２６は、表示装置１０の筐体外に備わっていてもよい。
【００４０】
なお、表示装置１０が具備する無線通信機１１は、図２に示される表示装置１０を構成する要素のうち、第一通信部１２５及び測位信号受信部１２６を有する。なお、無線通信機１１が表示装置１０の外部に取り付けられる場合は、第一通信部１２５及び測位信号受信部１２６は、表示装置１０の筐体の外に備わる。
【００４１】
＜通信装置＞
図３は、本発明の実施形態における通信装置２０のハードウェア構成の一例を示す図である。通信装置２０は、ＣＰＵ２２１、ＲＡＭ２２２、ＲＯＭ２２３、通信部２２４、測位信号送信部２２５及びバス２２６等を有する。
【００４２】
ＣＰＵ２２１は、通信装置２０の動作制御を行うプログラムを実行する。ＲＡＭ２２２は、ＣＰＵ２２１のワークエリア等を構成する。ＲＯＭ２２３は、ＣＰＵ２２１が実行するプログラムや、プログラムの実行に必要なデータを記憶する。通信部２２４は、外部の装置と通信するための装置であり、例えば、ＺｉｇＢｅｅ（登録商標）のような近距離無線通信方式に従って無線通信可能な装置である。測位信号送信部２２５は、表示装置１０が現在位置を取得するために用いる測位信号を送信する装置であり、例えば、ＩＭＥＳ規格により定義されたフレームフォーマットで測位信号を送信する。具体的には、測位信号送信部５０８は、ＩＭＥＳ規格によって定義されるフレーム構造を有するデータを用いて、１．５７５４ＧＨｚの搬送波を変調して信号を生成し、これをアンテナより送出する。バス２２６は、上記装置を電気的に接続する。
【００４３】
上記構成により、本発明の実施形態における通信装置２０は、表示装置１０が測位を行うために必要な、測位信号を送信することができる。また、表示装置１０と情報管理サーバ４０との間の通信を中継することができる。
【００４４】
＜ゲートウェイ装置＞
図４は、本発明の実施形態におけるゲートウェイ装置３０のハードウェア構成を表す。ゲートウェイ装置３０は、ＣＰＵ３２１、ＲＡＭ３２２、ＲＯＭ３２３、第一通信部３２４、第二通信部３２５及びバス３２６等を有する。
【００４５】
ＣＰＵ３２１は、ゲートウェイ装置３０の動作制御を行うプログラムを実行する。ＲＡＭ３２２は、ＣＰＵ３２１のワークエリア等を構成する。ＲＯＭ３２３は、ＣＰＵ３２１が実行するプログラムや、プログラムの実行に必要なデータを記憶する。第一通信部３２４は、外部の装置と通信するための装置であり、例えば、ＺｉｇＢｅｅ（登録商標）のような近距離無線通信方式に従って無線通信可能な装置である。第二通信部３２５は、外部の装置と通信するための装置であり、例えば、ＩＥＥＥ８０２．３規格に基づくＬＡＮと接続するためのインタフェースを含む装置である。バス３２６は、上記装置を電気的に接続する。
【００４６】
上記構成により、本発明の実施形態におけるゲートウェイ装置３０は、近距離無線通信ネットワークである無線ネットワーク９７を構成することができる。また、ゲートウェイ装置３０は、無線ネットワーク９７と、ネットワーク９８とを、相互に接続することができる。
【００４７】
＜情報管理サーバ＞
図５は、本発明の実施形態における情報管理サーバ４０のハードウェア構成の一例を示した図である。情報管理サーバ４０は、ＣＰＵ４２１、ＲＡＭ４２２、ＲＯＭ４２３、ＨＤＤ４２４、第一通信部４２５、第二通信部４２６、表示部４２７、入力部４２８及びバス４２９等を有する。
【００４８】
ＣＰＵ４２１は、情報管理サーバ４０の動作制御を行うプログラムを実行する。ＲＡＭ４２２は、ＣＰＵ４２１のワークエリア等を構成する。ＲＯＭ４２３は、ＣＰＵ４２１が実行するプログラムや、プログラムの実行に必要なデータを記憶する。ＨＤＤ４２４は、例えば、半導体メモリ、磁気テープ、光学ディスク等の記憶装置であって、配信するコンテンツ等の情報が記憶される。第一通信部４２５は、例えばＩＥＥＥ８０２．３規格に準拠するイーサネット（登録商標）により通信を行う装置であり、ネットワーク９８を介してゲートウェイ装置３０と通信するためのインタフェースである。第二通信部４２６は、外部の装置と通信するための装置であり、例えば、無線ＬＡＮや携帯電話通信網を通じて通信を行う装置である。第二通信部４２６は、ネットワーク９９を介して表示装置１０にコンテンツを送信し、表示装置１０から送信されるデータを受信するインタフェースである。表示部４２７は、例えば液晶や有機ＥＬのディスプレイ等のユーザに情報を出力する装置である。入力部４２８は、例えばキーボードや、マウスのように、ユーザからの入力を受け付ける装置である。バス４２９は、上記装置を電気的に接続する。
【００４９】
上記構成により、本発明の実施形態における情報管理サーバ４０は、表示装置１０の位置情報及びコンテンツ等を管理し、表示装置１０に表示させるコンテンツを送信することができる。
【００５０】
[機能構成]
図６は、本発明の実施形態におけるコンテンツ配信システム１の機能構成の一例を示す図である。表示装置１０、通信装置２０、ゲートウェイ装置３０、情報管理サーバ４０における各機能は、それぞれＣＰＵ１２１、ＣＰＵ２２１、ＣＰＵ３２１、ＣＰＵ４２１がプログラムを実行し、ハードウェアと協働することで実現される。
【００５１】
＜表示装置＞
本発明の実施形態において表示装置１０は、位置情報通信Ｉ／Ｆ手段１０１、位置情報受付・更新要求手段１０２、記憶手段１０３、入力手段１０４、コンテンツ取得要求手段１０５、通信Ｉ／Ｆ手段１０６、コンテンツ受信手段１０７及び表示手段１０８等を有する。
【００５２】
位置情報通信Ｉ／Ｆ手段１０１は、近距離無線通信用の無線ネットワーク９７を介して通信装置２０から送信された位置情報を受信し、受信した位置情報及び表示装置１０の識別情報を通信装置２０に送信する。
【００５３】
図７は、表示装置１０から通信装置２０を介して情報管理サーバ４０に送信される位置情報を含む信号のフォーマットの一例である。図７に示されるように、階数、緯度、経度、棟番号、識別情報の各フィールドが、それぞれ９ビット、２１ビット、２１ビット、８ビット、４８ビットで表現され、ＩＭＥＳ規格によって受信したメッセージの該当フィールドを繋げた形とする。階数、緯度、経度、棟番号の各フィールドの表現形式はＩＭＥＳ規格に準ずる。識別情報は例えばＭＡＣアドレスである。なお、識別情報は、ＭＡＣアドレスに限定されるものではなく、デバイスＩＤ等であってもよい。通信方式として、例えばＩＥＥＥ８０２．１５．４及びＺｉｇＢｅｅ（登録商標）規格が用いられる。
【００５４】
位置情報受付・更新要求手段１０２は、位置情報通信Ｉ／Ｆ手段１０１を介して位置情報通知信号を受け付けると、記憶手段１０３に受信した位置情報を記憶する。次いで、受信した位置情報と識別情報とを含む位置情報更新要求を、通信装置２０を介して情報管理サーバ４０に送信する。なお、位置情報受付・更新要求手段１０２が位置情報を情報管理サーバ４０に送信する契機は任意である。送信契機は、例えば、通信装置２０からの位置情報通知の受信時、表示装置１０の電源の投入時、一定周期毎等である。
【００５５】
記憶手段１０３は、図２のＲＡＭ１２２、ＲＯＭ１２３及びＨＤＤ１２４等が用いられ、表示装置１０の識別情報、受信した位置情報通知に含まれる位置情報及び表示するコンテンツのファイル等が記憶される。
【００５６】
入力手段１０４は、図２の入力部１２９であるハードウェアのボタン、キーボードやマウス、タッチパネルの画面操作等によりユーザからの入力指示を受け付ける。本発明の実施形態では、表示装置１０のユーザは、入力手段１０４により情報管理サーバ４０からコンテンツを取得し、表示装置１０にコンテンツを表示させるための入力操作（例えば、表示装置１０のハードウェアのボタンを押下等）を行う。
【００５７】
コンテンツ取得要求手段１０５は、入力手段１０４を介して情報管理サーバ４０からコンテンツを取得するための指示を受け付けると、コンテンツ取得要求信号を生成し、通信Ｉ／Ｆ手段１０６を介して、生成したコンテンツ取得要求信号を送信する。コンテンツ取得要求信号には、表示装置１０の識別情報（例えば、ＭＡＣアドレス）が含まれる。なお、コンテンツ取得要求を送信するインタフェースは、通信Ｉ／Ｆ手段１０６に限らず、例えば位置情報通信Ｉ／Ｆ手段１０１であってもよい。
【００５８】
通信Ｉ／Ｆ手段１０６は、第二通信部１２７を制御し、例えばＩＥＥＥ８０２．１１規格に準拠する無線ＬＡＮであるネットワーク９９を介してデータの送受信を行う。本発明の実施形態では、通信Ｉ／Ｆ手段１０６は、コンテンツ取得要求信号を情報管理サーバ４０に送信したり、情報管理サーバ４０から送信されたコンテンツを受信したりするインタフェースとして機能する。なお、通信Ｉ／Ｆ手段１０６が用いる通信規格は、ＩＥＥＥ８０２．１１の通信規格に限らず、例えばＩＥＥＥ８０２．３規格に基づくイーサネット（登録商標）によりデータ通信を行ってもよい。
【００５９】
コンテンツ受信手段１０７は、情報管理サーバ４０から送信されるコンテンツを、通信Ｉ／Ｆ手段１０６を介して受け付けると、受信したコンテンツを記憶手段１０３に記憶するとともに、コンテンツが記憶されたアドレスを表示手段１０８に通知する。
【００６０】
表示手段１０８は、図２の表示部１２８であるユーザインタフェース画面に、ユーザに対する情報を表示出力する。または、表示装置１０がプロジェクタである場合は、光源から射出される光により読み出される投影画像を表示する機能を有する。本発明の実施形態において、表示手段１０８は、コンテンツ受信手段１０７から通知されたコンテンツが記憶されているアドレスに基づき、コンテンツを表示部１２８に表示する。
【００６１】
＜通信装置＞
本発明の実施形態において通信装置２０は、位置情報格納手段２０１、位置情報通知手段２０２及び位置情報通信Ｉ／Ｆ手段２０３等を有する。
【００６２】
位置情報格納手段２０１は、通信装置２０が設置される位置を表す位置情報を格納する。位置情報には、例えば、緯度、経度、階数（フロア）、建物の棟番号を表す情報が含まれる。図８は、本発明の実施形態における通信装置２０の位置情報格納手段２０１が記憶する情報の一例を示す図である。図８に示されるように、位置情報格納手段２０１には、「緯度」、「経度」、「階数」、「棟番号」等の項目が含まれる。「緯度」及び「経度」は、通信装置２０の所在する位置の緯度及び経度を表す。「階数」は、通信装置２０が設置される建物の階数を表す。「棟番号」は、通信装置２０が設置される建物の棟番号や名称等を表す。図８の例において、通信装置２０は、Ｃ棟の１６階であって、緯度が「35.5571・・・」、経度が「139.7201・・・」の地点に所在する。この位置情報は、予め、コンテンツ配信システム１の管理者等によって設定される。なお、位置情報には部屋の中の区画を表す情報のような追加の情報を含んでもよい。これにより、より詳細な位置管理が可能となる。
【００６３】
位置情報通知手段２０２は、位置情報格納手段２０１に格納された位置情報に基づき位置情報通知信号を生成し、表示装置１０に送信する。位置情報通知信号は、例えば、ＩＭＥＳ規格によって定義されるフレーム構造によって構成される。また、位置情報通知の送信契機は任意であるが、一定周期（例えば、１分間隔）で送信する。
【００６４】
位置情報通信Ｉ／Ｆ手段２０３は、位置情報通知信号を表示装置１０に送信し、また表示装置１０から送信された位置情報及び識別情報が含まれたデータをゲートウェイ装置３０に転送する。無線ネットワーク９７にＺｉｇＢｅｅ（登録商標）規格が用いられる場合、データ転送は通信装置２０が保持するルーティング情報を用いて行われる。なお、位置情報通信Ｉ／Ｆ手段２０２は、位置情報以外のデータ転送を行うこともできる。
【００６５】
＜ゲートウェイ装置＞
本発明の実施形態において、ゲートウェイ装置３０は、位置情報通信Ｉ／Ｆ手段３０１及び通信変換手段３０２等を有する。
【００６６】
位置情報通信Ｉ／Ｆ手段３０１は、通信装置２０からのデータを受信すると、受信したデータの宛先アドレスとゲートウェイ装置３０が保持するルーティン情報とに基づき、情報管理サーバ４０に転送する。なお、情報管理サーバ４０から通信装置２０へのルートの通信も可能である。
【００６７】
通信変換手段３０２は、無線ネットワーク９７に属する表示装置１０から受信したデータを、異なるネットワークであるネットワーク９８に適合する形式に変換する。
【００６８】
＜情報管理サーバ＞
本発明の実施形態において、情報管理サーバ４０は、位置情報通信Ｉ／Ｆ手段４０１、位置情報受付・管理手段４０２、位置情報記憶手段４０３、区域情報記憶手段４０４、コンテンツ情報記憶手段４０５、コンテンツ取得要求受付手段４０６、コンテンツ読出し手段４０７、コンテンツ配信手段４０８及び通信Ｉ／Ｆ手段４０９等を有する。
【００６９】
位置情報通信Ｉ／Ｆ手段４０１は、例えばＩＥＥＥ８０２．３規格に準拠するイーサネット（登録商標）によりゲートウェイ装置３０とデータの送受信を行う。本発明の実施形態において、ゲートウェイ装置３０から送信された表示装置１０からの位置情報更新要求を受信すると、位置情報受付・管理手段４０２に通知する。なお、位置情報通信Ｉ／Ｆ手段４０１が用いる通信規格はＩＥＥＥ８０２．３規格に限らず、例えばＩＥＥＥ８０２．１１規格に準拠する無線ＬＡＮを用いてもよい。
【００７０】
位置情報受付・管理手段４０２は、位置情報通信Ｉ／Ｆ手段４０１を介して受け付けた位置情報更新要求に基づき、表示装置１０の識別情報に位置情報を対応付けて位置情報記憶手段４０３に記憶する。
【００７１】
位置情報記憶手段４０３は、位置情報を識別情報と対応付けて記憶する。図９は本発明の実施形態における位置情報記憶手段４０３に記憶される情報の一例を示す図である。図９に示されるように、位置情報記憶手段４０３は、「識別情報」、「緯度」、「経度」、「階数」、「棟」、「受信日時」及び「校舎」等が記憶される。「識別情報」は、表示装置１０を一意に識別する識別情報であり、例えばＭＡＣアドレスである。「緯度」、「経度」、「階数」、「棟」は、表示装置１０から送信された位置情報に含まれる情報である。受信日時は、位置情報受付・管理手段４０２が、識別情報及び位置情報を受信した日時である。「校舎」は、緯度、経度、階数及び棟に対応する校舎の名称である。なお「校舎」は、予め位置情報（緯度、経度、階数及び棟）と関連付けられ、情報管理サーバ４０又は外部のサーバ等に記憶されている。なお、上述した「校舎」に限らず、例えば、「地名」や「事業所」、「キャンパス」等のような場所を表す情報であってもよい。
【００７２】
区域情報記憶手段４０４は、建物内の区域とその区域内に設置されている通信装置２０の位置情報とを対応付けて記憶する。図１０は、本発明の実施形態において区域情報記憶手段４０４に記憶される情報の一例を示す図である。図１０に示されるように、区域情報記憶手段４０４には、「区域ＩＤ」、「区域名」、「校舎」、「棟」、「階数」、「緯度，経度」の項目が含まれる。「区域ＩＤ」は、ある建物における教室や会議室等を示す区域を識別する番号であり、区域情報記憶手段４０４において区域毎に一意に割り当てられる番号である。「区域名」は、任意に設定可能な区域を識別する名称である。但し、「区域名」は区域情報記憶手段４０４において区域毎に一意となるように名称を付与する。「校舎」は、緯度、経度、階数及び棟に対応する校舎の名称である。「棟」は区域が存在する建物の棟を識別する番号又は名称である。「階数」は区域が存在する建物の階数である。図１０の例では、「区域ＩＤ」が「１」である「区域名」は、「Ｙ校舎」の「Ａ棟」の「４階」にある「第１教室」であることを示す「Ｙ−Ａ−４第１教室」と設定されている。「緯度，経度」は、通信装置２０が設置されている位置を示す「緯度，経度」の情報である。なお、「校舎」、「棟」、「階数」は、通信装置２０の設置場所と対応している。なお、この区域情報記憶手段４０４に記憶される情報は、予め、コンテンツ配信システム１の管理者等によって設定され、例えば区域（教室等）や通信装置２０の追加や変更の都度、更新される。
【００７３】
コンテンツ情報記憶手段４０５は、表示装置１０に配信されるコンテンツと、講義情報とを対応付けて記憶する。講義情報は、コンテンツが利用される講義の日時と、講義が行われる場所を示す区域名と、講義の内容を示す講義名と、講師名とを含む情報である。図１１は、本発明の実施形態においてコンテンツ情報記憶手段４０５に記憶される情報の一例を示す図である。図１１に示されるように、コンテンツ情報記憶手段４０５には、「年月日」、「時間」、「区域名」、「講義名」、「資料」及び「講師名」等の項目が含まれる。「年月日」及び「時間」は、コンテンツが利用される講義の日付及び時間を示す情報である。「区域名」は、コンテンツが利用される場所を示す情報であって、例えば教室や会議室等の名称である。「区域名」は、区域情報記憶手段４０４に記憶される情報と同様に、区域毎に一意に付与される名称である。「講義名」は、講義の内容を示す名称である。「資料」は表示装置１０に講義に利用されるコンテンツであって、コンテンツ情報記憶手段４０５では、資料（コンテンツ）の名称と資料の格納先のアドレスとがリンクされている。「資料」は一つの講義に対して複数存在してもよい。また、「資料」のファイル形式は、例えばプレゼンテーション用ソフトのＭｉｃｒｏｓｏｆｔ  Ｐｏｗｅｒ  Ｐｏｉｎｔ(登録商標）であってもよいし、動画（ＭＰ４（Moving  Picture  Experts  Group-４）等）や静止画（ＪＰＥＧ（Joint   Photographic  Experts  Group）等）であってもよい。「講師名」は、コンテンツを用いて講義をする講師の名称である。
【００７４】
コンテンツ取得要求受付手段４０６は、表示装置１０から送信されるコンテンツ取得要求を通信Ｉ／Ｆ手段４０９を介して受け付けると、コンテンツ読出し手段４０７に配信するコンテンツの選択及び読出しの処理を要求する。
【００７５】
コンテンツ読出し手段４０７は、コンテンツ取得要求受付手段４０６からの処理要求により、表示装置１０の位置情報とコンテンツ要求を受け付けた時刻とに基づき、配信するコンテンツを選択し、読み出す。コンテンツ読出し手段４０７によるコンテンツの選択及び読出しの処理手順は、図１２により後述する。
【００７６】
コンテンツ配信手段４０８は、生成したコンテンツを、通信Ｉ／Ｆ手段４０９を介して表示装置１０に送信する。
【００７７】
通信Ｉ／Ｆ手段４０９は、例えばＩＥＥＥ８０２．１１規格に準拠する無線ＬＡＮにより表示装置１０とデータ通信を行う。本発明の実施形態において、通信Ｉ／Ｆ手段４０９は、表示装置１０にコンテンツを送信する。なお、通信Ｉ／Ｆ手段４０９が用いる通信規格は、ＩＥＥＥ８０２．１１規格に限らず例えばＩＥＥＥ８０２．３規格に準拠するイーサネット（登録商標）であってもよい。
【００７８】
[処理手順（コンテンツの読出し処理）]
本発明の実施形態において、情報管理サーバ４０で実行されるコンテンツが読み出され、表示装置１０に読み出されたコンテンツが配信される処理手順について説明する。
【００７９】
図１２は、本発明の実施形態において、コンテンツ読出し手段４０７によるコンテンツを読み出す処理手順の一例を示すフローチャート図である。
【００８０】
Ｓ１１：情報管理サーバ４０のコンテンツ取得要求受付手段４０６は、表示装置１０から送信されたコンテンツ取得要求を通信Ｉ／Ｆ手段４０９を介して受け付ける。コンテンツ取得要求には、表示装置１０の識別情報（例えばＭＡＣアドレス）が含まれている。ここで例えば、受信したコンテンツ取得要求に含まれていた表示装置１０の識別情報が「002673abcd02」とする。また、コンテンツ取得要求を受信した時刻は、例えば、「2012/7/12  08:56:03」とする。次いで、コンテンツ取得要求受付手段４０６は、コンテンツ読出し手段４０７に、コンテンツの読出し処理の実行を要求する。
【００８１】
Ｓ１２：コンテンツ読出し手段４０７は、受信した表示装置１０の識別情報に基づき、位置情報記憶手段４０３から位置情報（緯度、経度）を抽出する。ここで具体例を示すと図９に示されるように、受信した識別情報「002673abcd02」に対応する位置情報を検索すると、緯度が「35.5041・・・」、経度が「139.6201・・・」、階数が「４」、棟が「Ａ」、校舎が「Ｙ校舎」となる。
【００８２】
Ｓ１３：コンテンツ読出し手段４０７は、表示装置１０の位置情報に基づき、区域情報記憶手段４０４から区域を特定する。ここで、ステップＳ１２において挙げた具体例の位置情報に対応する区域は、図１０の例では「Ｙ−Ａ−４第１教室」である。
【００８３】
Ｓ１４：コンテンツ読出し手段４０７は、コンテンツ取得要求の受信時刻とステップＳ１３において特定した区域とに基づき、コンテンツ情報記憶手段４０５からコンテンツ（資料）を選択する。具体的には、コンテンツ情報記憶手段４０５に記憶される区域名の中から、ステップＳ１３において特定された区域名と一致する区域名が抽出される。次いで、抽出された区域名に対応するコンテンツ情報記憶手段４０５に記憶される「年月日」及び「時間」により表される講義日時とコンテンツ取得要求の受信時刻とが最も近い講義のコンテンツ（資料）が選択される。ここで、講義日時とコンテンツ取得要求の受信時刻とが「最も近い」とは、講義日時と受信時刻との差が最小であることを示す。図１２を用いて具体例を示すと、特定された区域「Ｙ−Ａ−４第１教室」に対応する講義日時は、「2012/7/12  9:00〜11:00」と「2012/7/19  9:00〜11:00」との二つが存在する。ステップＳ１１においてコンテンツ取得要求を受信した時刻は「2012/7/12  08:56:03」であるから、受信時刻と講義時間との差が最も小さい「2012/7/12  9:00〜11:00」に対応する講義のコンテンツ（資料）である「資料１．ｐｐｔ」と「資料２．ｄｏｃ」とが読み出される。コンテンツ読出し手段４０７は、コンテンツ配信手段４０７に読み出されたコンテンツを通知し、コンテンツの配信処理を要求する。
【００８４】
Ｓ１５：コンテンツ読出し手段４０７は、読み出されたコンテンツ（「資料１．ｐｐｔ」と「資料２．ｄｏｃ」）を、識別情報が「002673abcd02」である表示装置１０に、通信Ｉ／Ｆ手段４０９を介して配信する。なお、配信するコンテンツは、ファイルの本体であってもよいし、ファイルの格納先のアドレスであってもよい。
【００８５】
上述したステップＳ１１〜１５の処理により、情報管理サーバ４０は、表示装置１０の位置情報とコンテンツ取得要求を受信した時刻とに基づいた適当な講義に対応するコンテンツを表示装置１０に配信することができる。
【００８６】
[動作手順]
本発明の実施形態におけるコンテンツ配信システム１の動作手順を説明する。
【００８７】
図１３は、本発明の実施形態におけるコンテンツ配信システム１の動作手順を示すシーケンス図の一例である。
【００８８】
Ｓ１０１：通信装置２０の位置情報通知手段２０２は、位置情報格納手段２０１から取得した位置情報を、位置情報通信Ｉ／Ｆ手段２０３を介しＩＭＥＳ等により連続的又は断続的に送信する。
【００８９】
Ｓ１０２：表示装置１０の位置情報受付・更新要求手段１０２は、周期的（例えば1分周期）に行われる位置情報の受信処理により、通信装置２０から送信される位置情報を位置情報通信Ｉ／Ｆ手段１０１を介して受信する。なお、表示装置１０が加速度センサを備えている場合は、加速度の変化の検知を契機に位置情報を受信してもよい。
【００９０】
Ｓ１０３：位置情報受付・更新要求手段１０２は、受信した位置情報を、記憶手段１０３に記憶する。
【００９１】
Ｓ１０４：位置情報受付・更新要求手段１０２は、記憶手段１０３に記憶された表示装置１０の識別情報と受信した位置情報とを、位置情報通信Ｉ／Ｆ手段１０１を介し情報管理サーバ４０の宛先アドレスに送信する。
【００９２】
Ｓ１０５：通信装置２０の位置情報通信Ｉ／Ｆ手段２０３は、データの宛先アドレスと自機が保有するルーティングテーブルとに基づき、ゲートウェイ装置３０に転送する。
【００９３】
Ｓ１０６：ゲートウェイ装置３０の通信変換手段３０２は、位置情報通信Ｉ／Ｆ手段３０１が通信装置２０からデータを受信すると、通信装置２０から転送された無線ネットワーク９７の通信方式（プロトコル）のデータを、ネットワーク９８に適合する方式に変換する。
【００９４】
Ｓ１０７：ゲートウェイ装置３０の位置情報通信Ｉ／Ｆ手段３０１は、通信変換手段３０１によって変換されたデータを、データの宛先アドレスと自機が保有するルーティングテーブルとに基づき、情報管理サーバ４０に送信する。
【００９５】
Ｓ１０８：情報管理サーバ４０の位置情報受付・管理手段４０２は、位置情報通信Ｉ／Ｆ手段４０１を介して受信した表示装置１０の位置情報と識別情報とを対応付けて位置情報記憶手段４０３に記憶する（図９参照）。
【００９６】
上述したステップＳ１０１〜Ｓ１０８の手順により、情報管理サーバ４０は、表示装置１０の位置情報を取得し、管理することができる。なお、このステップＳ１０１〜Ｓ１０８の手順は繰り返し実行され、常時、表示装置１０の最新の位置情報が更新される。
【００９７】
Ｓ１０９：表示装置１０のユーザ（講師等）は、表示装置１０に講義のコンテンツを表示させるために、表示手段１０８により表示されたコンテンツ取得のための入力画面において、入力手段１０４を介して、コンテンツの取得を要求する。入力手段１０４はユーザからの入力を受け付けると、コンテンツ取得要求手段１０５に、コンテンツの取得処理を要求する。図１４は、本発明の実施形態におけるコンテンツ取得の入力画面の一例を示す図である。表示装置１０のユーザは、表示部１２８に表示された図１４の画面に基づき、表示装置１０にコンテンツを表示させたい場合は、入力部１２９により「ＹＥＳ」を選択する。なお、表示装置１０がプロジェクタである場合は、例えばプロジェクタの所定のハードウェアのボタンを押下すると、図１４の画面がスクリーン６０等に投影され、ハードウェアボタンの操作により「ＹＥＳ」又は「ＮＯ」の選択を行う。また、例えば表示装置１０がＰＣの場合やプロジェクタ自体に液晶又は有機ＥＬ等のディスプレイが備わっている場合は、自機のディスプレイに図１４の画面が表示され、マウス、キーボード又はハードウェアボタンの操作により「ＹＥＳ」又は「ＮＯ」のソフトキーを押下して選択する。なお、コンテンツ取得要求の生成、送信の契機は、図１４の入力画面を用いたユーザによる操作に限らず、例えば、表示装置１０の電源をオンにする場合等であってもよい。
【００９８】
Ｓ１１０：コンテンツ取得要求手段１０５は、記憶手段１０３から自機（表示装置１０）の識別情報を取得し、この識別情報を含むコンテンツ取得要求信号を生成する。次いで、コンテンツ取得要求手段１０５は、通信Ｉ／Ｆ手段１０６を介して、ネットワーク９９により情報管理サーバ４０にコンテンツ取得要求を送信する。
【００９９】
Ｓ１１１：情報管理サーバ４０のコンテンツ取得要求受付手段４０６は、通信Ｉ／Ｆ手段４０９を介して、コンテンツ取得要求を受け付けると、コンテンツ読出し手段４０７に、表示装置１０に配信するコンテンツの読出し処理を要求する。このときコンテンツ取得要求受付手段４０６は、コンテンツ取得要求の受信時刻を、メモリ装置（ＲＡＭ４２２等）に記憶する。コンテンツ読出し手段４０７は、まず受信したコンテンツ取得要求に含まれている表示装置１０の識別情報に基づき、位置情報記憶手段４０３に記憶されている情報（図９参照）の中から表示装置１０の位置情報（緯度、経度、階数、棟、校舎）を抽出する。
【０１００】
Ｓ１１２：コンテンツ読出し手段４０７は、ステップＳ１１１において抽出した表示装置１０の位置情報に基づき、区域情報記憶手段４０４に記憶されている情報（図１０参照）の中から区域を特定する。
【０１０１】
Ｓ１１３：コンテンツ読出し手段４０７は、ステップＳ１１２において特定された区域と、ステップＳ１１１においてメモリ装置に記憶したコンテンツ取得要求の受信時刻とに基づき、コンテンツ情報記憶手段４０５に記憶されている情報（図１１参照）の中から配信するコンテンツを読み出す。次いで、コンテンツ読出し手段４０７は読み出したコンテンツの表示装置１０への配信処理を、コンテンツ配信手段４０８に要求する。
【０１０２】
Ｓ１１４：コンテンツ配信手段４０８は、通信Ｉ／Ｆ手段４０９を介し、ネットワーク９９を用いて、コンテンツ取得要求を送信した表示装置１０に、コンテンツ読出し手段４０７により読み出されたコンテンツを配信する。
【０１０３】
Ｓ１１５：表示装置１０のコンテンツ受信手段１０７が、通信Ｉ／Ｆ手段１０６を介して、コンテンツを受信すると、受信したコンテンツを記憶手段１０３に記憶し、表示手段１０８にコンテンツが記憶されている場所（アドレス）を通知する。表示手段１０６は、通知されたアドレスに基づきコンテンツを表示する。
【０１０４】
上述したように、本発明の実施形態によれば、表示装置１０のユーザ（講師等）が表示装置１０における簡易な操作をするだけで、講義情報（講義の場所（区域）及び時間）に対応したコンテンツ（資料）を、情報管理サーバ４０から取得することが可能となる。
【０１０５】
具体的には、講師が講義の開始前や講義中に使用する資料を取得する場面において、まず講義の教室（区域）にあるプロジェクタ（表示装置１０の一例）に備わっているハードウェアのボタンのワンプッシュ等の操作を行う。その操作によって、プロジェクタの位置（講義の教室）と講義の開始時間とに対応した資料にネットワークを介して接続しスクリーンに投影することができる。また、プロジェクタがハードディスクを備えている場合は資料をダウンロードしてもよい。なお、表示装置１０はＰＣ等であってもよい。
[第一の変形例]
本発明の実施形態の第一の変形例におけるコンテンツ配信システム１は、まず表示装置１０に表示させるコンテンツの内容を示す書誌的事項に関する情報（以下、「書誌的事項」という。）を、表示装置１０に表示させる。そして、表示装置１０のユーザ（講師等）は、表示された書誌的事項が講義で用いるコンテンツを示していることを確認すると、コンテンツを取得するための入力操作を実行する。これにより、表示装置１０のユーザは、講義に利用する予定である正しいコンテンツを選択することができる。なお、第一の変形例における書誌的事項は、コンテンツ（資料）のタイトルや講義名等である。書誌的事項をさらに具体的に示すと、書誌的事項は例えば、図１２に示されるコンテンツ情報記憶手段４０５に記憶される情報のうち、講義の時間を示す「年月日」及び「時間」と、「講義名」と、コンテンツである「資料」のファイル名と、「講師名」とを含む。
【０１０６】
第一の変形例におけるコンテンツ配信システム１のシステム構成及び各装置のハードウェア構成は、本発明の実施形態の場合の構成（図１〜５参照）と同じである。
【０１０７】
[機能構成（第一の変形例）]
図１５は、本発明の実施形態の第一の変形例におけるコンテンツ配信システム１の機能構の一例を示す図である。本発明の実施形態における機能構成（図６参照）との相違点は、表示装置１０において書誌的事項取得要求手段１０９が追加された点及び情報管理サーバ４０において書誌的事項取得要求受付手段４１０が追加された点である。
【０１０８】
表示装置１０における書誌的事項取得要求手段１０９は、入力手段１０４を介してのユーザからの指示に基づき、自機（表示装置１０）の識別情報を含む書誌的事項取得要求信号を生成し、通信Ｉ／Ｆ手段１０６を介して、情報管理サーバ４０に送信する。ここで書誌的事項を取得するためのユーザからの指示は、例えば表示装置１０の電源をオンとする場合に実行され、その電源オンを契機に、書誌的事項取得要求手段１０９は書誌的事項取得要求信号を生成する。なお、書誌的事項を取得するための契機は、表示装置１０の電源をオンにする場合に限らず、例えば、書誌的事項を取得するための入力画面上に作成されたソフトキーや電源ボタン以外のハードウェアのボタン等を押下する場合であってもよい。
【０１０９】
情報管理サーバ４０における書誌的事項取得要求受付手段４１０は、通信Ｉ／Ｆ手段４０９を介して、表示装置１０からの書誌的事項取得要求を受信すると、受信した書誌的事項取得要求に基づく書誌的事項の読出し処理をコンテンツ読出し手段４０７に要求する。また、書誌的事項取得要求受付手段４１０は書誌的事項取得要求の受信時刻をメモリ装置（例えばＲＡＭ４２２等）に記憶する。
【０１１０】
なお、情報管理サーバ４０における書誌的事項の読出し処理は、コンテンツ読出し手段４０７によって実行される。また、書誌的事項の表示装置１０への送信処理は、コンテンツ配信手段４０８によって実行される。
【０１１１】
また、表示装置１０における書誌的事項の受信処理は、コンテンツ受信手段１０７によって実行される。
【０１１２】
[動作手順（第一の変形例）]
図１６は、本発明の実施形態の第一の変形例におけるコンテンツ配信システム１の動作手順の一例を示すシーケンス図である。なお、図１３に示される本発明の実施形態のシーケンス図と同一の処理については、同一ステップ番号を付与しており説明は省略する。図１６と図１３との相違点は、次のとおりである。
【０１１３】
まず、図１６の初期状態において、表示装置１０本体の電源はオフの状態である。第一の変形例において、表示装置１０に備わっている無線通信機１１は例えばアクティブタグの特徴を有しており、表示装置１０の動作とは独立してステップＳ１０２〜Ｓ１０８における表示装置１０の位置情報の受信・更新処理が実行されている。なお、無線通信機１１が表示装置１０に内蔵されており、電源部が表示装置１０と無線通信機１１とで共有されている場合は、後述するステップＳ２０１において表示装置１０の電源がオンにされることを契機として、ステップＳ１０２〜１０８の処理が実行される。
【０１１４】
Ｓ２０１：表示装置１０のユーザによって表示装置１０の電源がオンにされると、入力手段１０４は、書誌的事項取得要求手段１０９に、書誌的事項取得要求の生成を要求する。
【０１１５】
Ｓ２０２：書誌的事項取得要求手段１０９は、記憶手段１０３から自機（表示装置１０）の識別情報を取得し、この識別情報を含む書誌的事項取得要求信号を生成する。次いで、書誌的事項取得要求手段１０９は、通信Ｉ／Ｆ手段１０６を介して、ネットワーク９９により情報管理サーバ４０に書誌的事項取得要求を送信する。
【０１１６】
Ｓ２０３：情報管理サーバ４０の書誌的事項取得要求受付手段４１０は、通信Ｉ／Ｆ手段４０９を介して、書誌的事項取得要求を受け付けると、コンテンツ読出し手段４０７に、表示装置１０に送信する書誌的事項の読出し処理を要求する。このとき書誌的事項取得要求受付手段４１０は、コンテンツ取得要求の受信時刻を、メモリ装置（ＲＡＭ４２２等）に記憶する。コンテンツ読出し手段４０７は、まず受信した書誌的事項取得要求に含まれている表示装置１０の識別情報に基づき、位置情報記憶手段４０３に記憶されている情報（図９参照）の中から表示装置１０の位置情報（緯度、経度、階数、棟、校舎）を抽出する。
【０１１７】
Ｓ２０４：コンテンツ読出し手段４０７は、ステップＳ２０３において抽出した表示装置１０の位置情報に基づき、区域情報記憶手段４０４に記憶されている情報（図１０参照）の中から区域を特定する。
【０１１８】
Ｓ２０５：コンテンツ読出し手段４０７は、ステップＳ２０４において特定された区域と、ステップＳ２０３においてメモリ装置に記憶した書誌的事項の受信時刻とに基づき、コンテンツ情報記憶手段４０５に記憶されている情報（図１１参照）の中から、対応する書誌的事項を読み出す。ここで読み出される書誌的事項は、「年月日」、「時間」、「講義名」、「資料」のファイル名、「講師名」である。次いで、コンテンツ読出し手段４０７は読み出した書誌的事項の表示装置１０への送信処理を、コンテンツ配信手段４０８に要求する。
【０１１９】
Ｓ２０６：コンテンツ配信手段４０８は、通信Ｉ／Ｆ手段４０９を介し、ネットワーク９９を用いて、書誌的事項取得要求を送信した表示装置１０に、コンテンツ読出し手段４０７により読み出された書誌的事項を配信する。
【０１２０】
Ｓ２０７：表示装置１０のコンテンツ受信手段１０７が、通信Ｉ／Ｆ手段１０６を介して、書誌的事項を受信すると、表示手段１０８に書誌的事項を表示させる。表示手段１０８は表示部１２８に書誌的事項を表示する。図１７は、本発明の実施形態の第一の変形例において、表示装置１０の表示部１２８に表示される書誌的事項表示画面の一例を示す図である。図１７に示されるように、書誌的事項表示画面には、講義に関する書誌的事項である「講義時間」、「講義名」、「講師名」及び「資料（コンテンツ）名」が表示される。表示装置１０のユーザ（講師等）は、画面に表示された書誌的事項の内容が、講義で使用される予定の資料（コンテンツ）である場合は、表示装置１０のハードウェアのボタン又はマウス等により「OK」ボタンを押下する。この「OK」ボタンの押下に基づくコンテンツの取得要求の命令は、図１６におけるステップＳ１０９である。そして、ステップＳ１１０以降の処理は、図１３に示される本発明の実施形態における動作手順と同じである。
【０１２１】
なお、ステップＳ２０６において、使用する「資料（コンテンツ）」の接続先アドレスを表示装置１０に送信することにより、ステップＳ２０７でのユーザ（講師等）の確認手順後、表示装置１０から直接資料に接続したり、資料をダウンロードするようにしたりしてもよい。これにより、コンテンツ取得要求に基づく表示装置１０の位置の抽出処理（Ｓ１１１）及び表示装置１０の区域の特定処理（Ｓ１１２）を実行する必要がなくなる。
【０１２２】
上述したように、本発明の実施形態の第一の変形例によれば、表示装置１０のユーザ（講師等）は、書誌的事項表示画面によりコンテンツ（資料）が使用される講義名等を予め確認した上で、講義に用いるコンテンツを取得することができる。これにより、表示装置１０のユーザは、講義に用いる予定であるコンテンツ（資料）を正確に取得することができる。
[第二の変形例]
本発明の実施形態の第二の変形例におけるコンテンツ配信システム１は、ある表示装置１０の位置する区域に存在する他の表示装置１０に対して、コンテンツを表示させる。第二の変形例におけるコンテンツ配信システム１の利用場面は、例えば、講義が行われるある教室（区域）に複数の受講者がおり、各自がＰＣ（表示装置１０の一例）を保持している場合、講義に使用するコンテンツ（資料）を各自のＰＣに表示させるような場面である。
【０１２３】
第二の変形例におけるコンテンツ配信システム１のシステム構成、各装置のハードウェア構成及び機能構成は、本発明の実施形態の場合の構成（図１〜６参照）と同じである。
【０１２４】
[処理手順（コンテンツの読出し処理）（第二の変形例）]
第二の変形例において、例えば講師が所有する表示装置１０ａからコンテンツ取得要求が送信された後、情報管理サーバ４０において、表示装置１０ａ及び受講生が所有する表示装置１０ｎにコンテンツが配信されるまでの処理手順について図１８を用いて説明する。
【０１２５】
図１８は、本発明の実施形態の第二の変形例において、コンテンツ読出し手段４０７によるコンテンツを読み出す処理手順の一例を示すフローチャート図である。なお、図１２に示される本発明の実施形態のフローチャート図と同一の処理については、同一ステップ番号を付与しており説明は省略する。第二の変形例では、コンテンツを配信する対象となる複数の表示装置１０を抽出するための処理（図１８に示されるステップＳ１４ａ及びＳ１４ｂ）が追加される。
【０１２６】
情報管理サーバ４０のコンテンツ読出し手段４０７によって、表示装置１０ａ（講師所有）の位置に基づく区域が特定され（Ｓ１３）、配信するコンテンツが読み出される（Ｓ１４）。
【０１２７】
次いで、コンテンツ読出し手段４０７は、区域情報記憶手段４０４に記憶される情報（図１０参照）の中から表示装置１０ａの区域に対応する位置情報（緯度、経度、校舎、棟、階数）を抽出する（Ｓ１４ａ）。
【０１２８】
そして、位置情報記憶手段４０３に記憶される情報（図９参照）の中から、抽出した位置情報と同一の位置情報である識別情報を抽出する（Ｓ１４ｂ）。この抽出された識別情報が表示装置１０ａと同じ教室（区域）に存在する表示装置１０ｎ（受講生所有）の識別情報である。
【０１２９】
コンテンツ配信手段４０８は、ステップ１４ｂにおいて抽出した表示装置１０ｎ及び表示装置１０ａに、読み出したコンテンツを配信する（Ｓ１５）。
【０１３０】
上述したように、本発明の実施形態の第二の変形例によれば、ある表示装置１０の位置する区域に存在する他の表示装置１０に対して、コンテンツを表示させることができる。これにより、例えば表示装置１０の講師は、受講生の所有する表示装置１０に対して、容易に講義で使用する資料（コンテンツ）を配信し、受講生は閲覧することが可能となる。
[第三の変形例]
本発明の実施形態の第三の変形例におけるコンテンツ配信システム１は、例えば、表示装置１０のユーザ（講師等）が、表示装置１０とは別に位置情報の送受信が可能な無線通信機１１を保持している場合に、表示装置１０の位置情報と無線通信機１１の位置情報とが一致した場合に、コンテンツの配信を可能とするシステムである。
【０１３１】
第三の変形例におけるコンテンツ配信システム１のシステム構成、各装置のハードウェア構成及び機能構成は、本発明の実施形態の場合の構成（図１〜６参照）と同じである。また、例えば講師が保持する無線通信機１１は、上述したように表示装置１０に具備されている無線通信機１１と同じである。すなわち、第三の変形例における無線通信機１１は、表示装置１０における位置情報通信Ｉ／Ｆ手段１０１、位置情報受付・更新要求手段１０２、記憶手段１０３の機能を有する。したがって、情報管理サーバ４０は、無線通信機１１の位置情報と識別情報とを対応付けて位置情報記憶手段４０３に記憶している。
【０１３２】
第三の変形例では、コンテンツ情報記憶手段４０５に記憶される情報が本発明の実施形態の場合（図１１参照）と異なる。図１９は、本発明の実施形態の第三の変形例においてコンテンツ情報記憶手段４０５に記憶される情報の一例を示す図である。図２０に示されるように第三の変形例のコンテンツ情報記憶手段４０５には、「講師ＩＤ」が追加して記憶される。「講師ＩＤ」とは講師を識別する情報であって、講師が保持する無線通信機１１の識別情報（例えばＭＡＣアドレス）である。第三の変形例では、「講師ＩＤ」は予めコンテンツ配信装置１の管理者等によりコンテンツ情報記憶手段４０５に登録されている。
【０１３３】
すなわち、第三の変形例において、講師が保持する無線通信機１１の識別情報は、位置情報記憶手段４０３とコンテンツ情報記憶手段４０５とに記憶されている。
【０１３４】
[処理手順（コンテンツの読出し処理）（第三の変形例）]
第三の変形例において、例えば無線通信機１１を保持する講師の操作によって表示装置１０からコンテンツ取得要求が送信された後の情報管理サーバ４０でのコンテンツの読出し処理及び配信処理の手順について図２１を用いて説明する。
【０１３５】
図２０は、本発明の実施形態の第三の変形例において、コンテンツ読出し手段４０７によるコンテンツを読み出す処理手順の一例を示すフローチャート図である。なお、図１２に示される本発明の実施形態のフローチャート図と同一の処理については、同一ステップ番号を付与しており説明は省略する。第三の変形例では、講師の保持する無線通信機１１及び表示装置１０の位置情報に基づき、コンテンツを配信するか否かを判定する処理（図２１に示されるステップＳ１３ａ〜Ｓ１３ｄ）が追加される。
【０１３６】
図２１の初期状態において、講師が保持する無線通信機１１の位置情報が情報管理サーバ４０の位置情報記憶手段４０３に記憶されている。
【０１３７】
表示装置１０からのコンテンツ取得要求を受信する（Ｓ１１）と、情報管理サーバ４０のコンテンツ読出し手段４０７によって、表示装置１０の識別情報から位置情報が抽出され（Ｓ１２）、その位置情報に基づく区域が特定される（Ｓ１３）。
【０１３８】
次いで、コンテンツ読出し手段４０７は、コンテンツ情報記憶手段４０５からコンテンツ取得要求の受付時刻及びステップＳ１３において特定された区域に対応する講義の講師ID（無線通信機１１の識別情報）を抽出する（Ｓ１３ａ）。
【０１３９】
次いで、コンテンツ読出し手段４０７は、位置情報記憶手段４０３に記憶される識別情報の中から、ステップＳ１３ａにおいて抽出した講師ＩＤ（無線通信機１１の識別情報）と同一の識別情報を検索し、検索の結果、同一の識別情報に対応する位置情報を抽出する（Ｓ１３ｂ）。
【０１４０】
そして、コンテンツ読出し手段４０７は、ステップＳ１３ｂにおいて抽出された講師ID（無線通信機１１の識別情報）に対応する位置情報と、ステップＳ１２において抽出された表示装置１０の位置情報とが一致するか否かを判定する（Ｓ１３ｃ）。それぞれの位置情報が一致する場合（Ｓ１３ｃにおいてＹＥＳ）、コンテンツの読出し処理が実行され（Ｓ１４）、読み出されたコンテンツが表示装置１０に配信される（Ｓ１５）。一方、それぞれの位置情報が一致しない場合（Ｓ１３ｃにおいてＮＯ）、表示装置１０の操作者は講師ではない可能性が高いため、エラーとしてコンテンツを配信する処理を中止する（１３ｄ）。
【０１４１】
上述したように、本発明の実施形態の第三の変形例によれば、表示装置１０のユーザである講師が保持する無線通信機１１の位置情報と、操作された表示装置１０の位置情報とが一致した場合に、コンテンツの配信を許可とする。これにより、例えば講義とは無関係な第三者が表示装置１０を操作した場合であっても、表示装置１０にコンテンツを表示することができないためセキュリティを高めることができる。また、講義を実施する講師に限り表示装置１０にコンテンツを表示させることができるため、例えば表示装置１０の誤操作によりコンテンツを表示させてしまうといった事象を回避することができる。
[その他の変形例]
なお、本発明の実施形態において、情報管理サーバ４０は、表示装置１０等の位置情報を記憶する位置情報記憶手段４０３と、講義に利用されるコンテンツを記憶するコンテンツ情報記憶手段４０５とを有したが、例えば、位置情報を管理する装置と、コンテンツを管理する装置とにハードウェアとして分けてもよい。
【０１４２】
なお、本発明の実施形態において、コンテンツを、ネットワーク９９を介して、情報管理サーバ４０から表示装置１０に送信したが、コンテンツのデータ容量見合いで、位置情報通信Ｉ／Ｆ４０１（ネットワーク９８、無線ネットワーク９７）を介して送信してもよい。
【０１４３】
以上、本発明の実施例について詳述したが、本発明はかかる特定の実施形態に限定されるものではなく、特許請求の範囲に記載された本発明の要旨の範囲内において、種々の変形、変更が可能である。
【符号の説明】
【０１４４】
１        コンテンツ配信システム
１０      表示装置
１１      無線通信機
２０      通信装置
３０      ゲートウェイ装置
４０      情報管理サーバ
１０２    位置情報受付・更新要求手段
１０４    入力手段
１０５    コンテンツ取得要求手段
１０８    表示手段
４０２    位置情報受付・管理手段
４０３    位置情報記憶手段
４０４    区域情報記憶手段
４０５    コンテンツ情報記憶手段
４０６    コンテンツ取得要求受付手段
４０７    コンテンツ読出し手段
４０８    コンテンツ配信手段
【先行技術文献】
【特許文献】
【０１４５】
【特許文献１】国際公開第２００５／０８６３７５号
【図１】
2014057286.tif 000003
【図２】
2014057286.tif 000004
【図３】
2014057286.tif 000005
【図４】
2014057286.tif 000006
【図５】
2014057286.tif 000007
【図６】
2014057286.tif 000008
【図７】
2014057286.tif 000009
【図８】
2014057286.tif 000010
【図９】
2014057286.tif 000011
【図１０】
2014057286.tif 000012
【図１１】
2014057286.tif 000013
【図１２】
2014057286.tif 000014
【図１３】
2014057286.tif 000015
【図１４】
2014057286.tif 000016
【図１５】
2014057286.tif 000017
【図１６】
2014057286.tif 000018
【図１７】
2014057286.tif 000019
【図１８】
2014057286.tif 000020
【図１９】
2014057286.tif 000021
【図２０】
2014057286.tif 000022